(57)【要約】      （修正有）【課題】水に混在する混合物を凝結、沈殿させる事により、水の浄化効果を得る。この事により、入浴後における浴槽水の残湯や、プールに収容された水における混合物の人体による汗や垢又は微生物等の凝結や沈殿、臭気の減少がみられ浴槽水の残湯やプールに収容された水の浄化や酸化防止が可能となる水の浄化シートと水の浄化方法を提供する。【解決手段】酸化傾向の大きい金属から選択された少なくとも１種である金属（酸素と反応しやすく還元力が強い）の作用とその態様（アルミニウム、アルミ蒸着繊維、アルミ合金類から選択された少なくとも１種からなり、又繊維状、糸状、線状、紐状、布状、不織布さらに連続気泡を有する海綿状、無数の孔を有する板状体、スリット状体から選択された少なくとも１種になる）による濾過性を有する水の浄化シートと水との接触による水の浄化方法。【選択図】図３
2005334859.tif 000002
【特許請求の範囲】
【請求項１】
浄化シートが酸化傾向の大きい金属から選択された一種からなる浄化シート。
【請求項２】
浄化シート材が繊維状、線状、糸状、紐状、網状、布状、不織布から選択された１種からなるフィルター状の請求項１の浄化シート。
【請求項３】
浄化シートがアルミニウムもしくはアルミニウムを含む合金類、アルミ蒸着繊維から選択された一種からなる請求項１の浄化シート。
【請求項４】
浄化シートが無数の孔を有する板体、連続気泡を有する海綿状又はスリット状板体から選択された１種からなる請求項１乃至請求項３のいずれかに記載の浄化シート。
【請求項５】
本案の請求項１乃至請求項４のいずれかに記載の浄化シートと水との接触によることを特徴とする水の浄化方法と水の浄化シート。
【発明の詳細な説明】
【技術分野】
【０００１】  本案は浴槽、プール等に収納される水に適用される水の浄化方法と水を収納した浴槽内の入浴後における残湯、もしくはプール内の収容水の水を浄化する浄化シートに関する。［従来の技術］【０００２】  従来、一般家庭において、入浴後の浴槽水の残湯は、経済性も考え、再入浴に利用したり、洗濯用水や掃除の時に再利用する事が多い。【０００３】  従って、入浴後における浴槽水の残湯の汚染や臭気が問題になり、窓の換気や浴槽水の残湯に有するぬめりや混合物の除去に手間がかかり、面倒である。【０００４】  さらにプール等においては、コケが生えたり、混合物の除去が大がかりになり人手を要し、人件費もかかり経済的に困ることが多い。【０００５】  又、従来の一般家庭においての浄化方法として、アルミニウムと銅による異種金属による微流電流浄化方法があるが、水中にて使用可能なため、子供達が入浴中又は遊泳中にて、手にしたり壊したりする危険性がある。    ｛特許文献１｝  特開２００２−７９２５３【０００６】  さらに浴槽水循環器浴槽の浄化装置における浄化方法は、大きな浄化装置であるために使用しずらく、特にユニットバスのような浴室においては使用は無理であるという問題が生じている。    ｛特許文献１］  特開平４−３５７０８［発明の開示］［発明が解決しようとする課題］【０００７】  本案は上記記述されている問題を解決するために安価で簡単に使用可能となる水の浄化方法と水の浄化シートを提供することにある。［課題を解決するための手段］【０００８】  本案の前記課題は以下の各手段により達成される。（１）本案は酸化傾向の大きい金属から選択された少なくとも１種からなる事を特徴とする水の浄化シート。（２）本案の浄化シート材が繊維状、線状、糸状、紐状、網状、布状、不織布等から選択された少なくとも１種からなる浄化シート材である事を特徴とする前記１項に記載の水の浄化シート。（３）本案の浄化シート材が無数の孔を有する板状体又は切り込みを有するスリット状体もしくは連続気泡を有する海綿状等から選択された少なくとも一種からなる濾過性を有する浄化シート材である事を特徴とする前記第一項に記載の水の浄化シート。（４）本案は浄化シート材がアルミニウム、アルミ合金類、アルミ蒸着繊維類から選択された少なくとも一種からなる事を特徴とする前記第一項乃至第３項のいずれかに記載の水の浄化シート。（５）本案は前記第一項乃至第４項のいずれかに記載された手段による浄化シートと水を接触させる事による水の浄化方法。【０００９】  以下、さらに本案を説明すると、本案の浄化シート材はフィルター状のようなものであり、その浄化シート材がアルミニウム等の金属で構成されているか、又アルミニウム蒸着繊維で形成されている事を特徴とするもので、これにより水の浄化はもちろんの事、長期間の抗菌性、耐性、酸化防止性を有し、従って汚染や臭気のない水を提供する事が可能となる。【００１０】  又、本案のシート材が繊維状、線状、糸状、紐状、網状、布状、不織布又は連続気泡を有する海綿状、無数の孔を有する板状、無数の切り込みを有するスリット状体等から選択され、少なくとも一種を用いる時、その効果が大きい。【００１１】  又、この浄化シートの態様として��網状もしくは無数の孔を有するシート状体である事が効果が大きい。【００１２】  又、本案はアルミニウム、アルミニウムを含む合金類、もしくはアルミ蒸着繊維類から選択された一種からなり、この浄化シート材の態様が繊維状、線状、糸状、紐状、網状、布状、布織布、連続気泡を有する海綿状、無数の孔を有する板状、スリット状からなる。又、この浄化シート材としてはアルミニウムやアルミ蒸着繊維を使用する事が好ましい。【００１３】  又、本案の浄化シート材は、水との接触つまり、水中、排水、給水，吸水、流水等においてなされる浄化方法等に適用されると効果があり、この浄化シート材としては、水の排水、流水等に使用される事が望ましい。【００１４】  さらに本案の浄化シート材は加工性を有し、繊維、糸にする場合はアルミニウムを繊維状に薄くのばして，適切な状態で繊維状に形成する。さらにこの繊維状から糸状体や布を形成し、糸から紐さらに網そして孔を有する織り布を形成する。【００１５】  又、本案の無数の孔を有する板状体は、アルミニウム板状に任意の孔をあけて作製するが孔の形は丸で四角でも多角でも任意である。【００１６】  さらに本案のスリット状を有する板状体は、アルミニウム板状に切り裂くように適切な任意の長さ、太さ、方向において切り込みをいれる。【００１７】  又、本案の浄化シート材は種々の素材、綿、麻、セルロース等の繊維類、ポリウレタン、ポリエステル，塩化ビニール、ポリエチレン、アクリル等の合成樹脂類、備長炭類、石綿等の無機繊維等との混合、混紡、混入，もしくは接合、接着等も本案の発明効果が失われない限りにおいて可能となる。【００１８】  又、本案の浄化シート材としてアルミニウムに限定されず、アルミニウム合金類、アルミ蒸着繊維類、アルミ表面加工材、その他種々の金属類も本案の発明効果を失わない限り使用可能となる。【００１９】  さらに本案の浄化シート材はアルミニウムを有する構造からなり、その態様は次に説明する。  （Ｉ）アルミニウムで浄化シート部材を構成する。  （２）アルミニウムの糸により網状の浄化シート部材を構成する。  （３）アルミニウムの糸により紐状にして浄化シート部材とする。  （４）アルミニウム繊維で布を形成して浄化シート部材とする。  （５）無数の孔を有するアルミ板状シートを重ねて浄化シート部材とする。だが、孔の位置が異なる場合は、水の流水経路となる開口部の設置が必要となる【００２０】  本案の浄化シートは従来から使用されている浄化シート例えば、濾紙、多孔質樹脂、多孔質セラミック、太陽石等と共に本案の発明効果が失われない限り使用が可能となる。【００２１】  本案は以上の上記手段と態様により達成される。［作用］【００２２】  本案では、浄化シート材を酸化傾向の大きい金属から選択された１種アルミニウム等で構成されているので、長期間の使用が可能であり、又抗菌性、酸化防止性に効果ある。【００２３】  さらに、前記アルミニウム類を繊維、糸、線、紐、網状に加工してフィルター状に加工可能なので、長期間の水の濾過性、酸化防止性、抗菌性を維持し、さらに、浄化シート材の構造、製造も簡単である。【００２４】  従って、本案はアルミニウムもしくはアルミニウム蒸着繊維類等を主に製作、製造��れた浄化シートは長期間にわたり、水の浄化が可能となり、酸化防止性、抗菌性を維持でき、入浴後における浴槽水の残湯、プールのプールに収容された水における混合物の汗や垢又は微生物の凝結、沈殿、臭気減少等がみられ、浴槽水の残湯、プールに収容された収容水の浄化、酸化防止性に効果がある。【００２５】  本案は浴槽用の水道蛇口や流しの排水口もしくは浴室の浴槽水用の水道蛇口開口部などにおいて、水の流水又は排水された時に実験し得られた結論であり、その原因は特定されていない。【００２６】  しかし、上記流水が本案の浄化シート部材を通過経路として通過した際に水流の圧力による作用が生じ、酸化傾向の大きいアルミニウム類（酸素と反応しやすく酸化皮膜を生成し還元力が強い）の金属作用によるアルミニウムの酸化が生じ水中の溶存酸素の消滅もしくは減少に効果をもたらす。【００２７】  つまり、水の水圧等による酸化皮膜の消滅、減少、が生じた事によりアルミニウムの酸化が持続され、水中の溶存酸素が消滅または減少すると考えるに至った【００２８】  この結果、水のイオン化作用と共に本案の浄化シート部素材を通過した水は溶存酸素の消滅又は減少した浄化作用のある水となるので、入浴後における浴槽の残湯やプールのプールに収容された水の濾過性、酸化防止性、抗菌性に優れ、浴槽の残湯に有する混合物例えば人体の垢や汗もしくは微生物などの凝結、沈殿、臭気の減少に十分な効果をもたらす事になる。しかし、飲料水としては適用可能になるかはさだかではない。［実施例］【００２９】  以下、本案の実施例を示して説明する。【００３０】  図３は本案の浄化シート１を使用した水の浄化方法と水の浄化シート１の使用を示す側面図である。この浄化シート１は図２に示す水道蛇口開口部２より、水道水の流水時に図３に示すように覆い被せるようなもので、逆さにしたシャワーキャップ状の網状部３とその開口部周縁に取り付けた環状のゴム体４とより構成される。【００３１】  又、網状部３は網状のアルミ蒸着繊維使用だが、もしくはアルミニウム、アルミ合金類等で構成もしくは形成され、上記水道蛇口開口部２全体を覆い被せるようなものでシャワーキャップを逆さにしたような立体形状からなる図４に示す浄化シート１を有する浄化具５であり、その網状部３は図２に示す水道蛇口開口部２全体を図３のように収納しているので、その程度の大きさに製作されているが大きさや形は任意である。【００３２】  又、上記ゴム体４は上記水道蛇口開口部２全体を覆い被せるように収納している上記網状部３の開口部周縁を締め付けて、本案の浄化シート１からなる網状部３を有する図５に示されている浄化具５が水道蛇口開口部２周縁から脱落しないように保持するリング状のゴムバンドである。【００３３】  さらに前記ゴムバンドはゴム体４に限定されず、アルミニウム等の金属、ポリエステル、ポリエチレン等の合成樹脂類、天然繊維、化学繊維、生ゴム等種々の素材が本案の発明効果を失わない限りにおいて使用可能となる。【００３４】  さらに本案のゴム体に限定されず、ピン、ナット類、フック具、施錠具等も本案の発明効果を失わない限りにおいて使用可能となる。【００３５】  以上のごとく、図５に示される上記浄化具に有する本案���浄化シートは網状で酸化傾向の大きいアルミニウムもしくはアルミ蒸着繊維で構成もしくは形成されていることを特徴とするもので、このアルミニウムの金属作用（酸素と反応し酸化皮膜を生成するもしくは還元力が強い）又は網状部の濾過性等により、水の濾過、酸化防止性、抗菌性を有し、入浴後における浴槽の残湯、プール内の収容水における混合物の汗や垢又は微生物等の凝結、沈殿、臭気減少がみられる。従って、臭気やぬめりのない浴槽の残湯やプールの収容水を提供できる。【００３７】  以上、本案の実施例について述べてきたがこのような具体的な実例のみに限定されない。【００３８】  本案の浄化シート材は開口部の設置、取り付け等が可能である。【００３８】  本案の浄化シート材は水の水圧作用に限定されず、摩擦性、衝撃性、破壊性、振動性等もしくは電気作用、降雨、風力、降雪等によっても同様の浄化効果を得ることが考えられ大気中における工場の煙突、自動車の排気口等、地中、地表面においては土壌の改良、酸化防止製品及び具としての適用も考えられる。【００３９】  本案は実施例の図３で示したような水道開口部全体を覆い被せるようなものに収納する浄化シートの浄化方法に限定されず、水道蛇口筒部内等に取り付ける事も可能で種々の方法が考えられる。【００４０】  本案はプールや浴槽の浴槽水の使用に限定されず、流しや浴室、下水道、工場養鶏場、動物園、酪農、農業、等種々の業界において排水溝、排水口等に適用可能が考えられる。【００４１】  本案の浄化シート材を粉末、粒、顆粒、ジェル状等に加工する事で本案の発明効果を失わない限り、種々の収納容器等に収納可能であり、本案の種々の浄化方法と浄化シートを有する浄化具もしくは浄化製品が考えられる。【００４２】  本案は当業者の知識に基き、種々の改良、修正、変更等を加えた態様において実施されるものであり、又、そのような実施態様が本案の趣旨からそれない限り何れも本案の範囲内に含まれる。［発明の効果］【００４３】（１）本案は廃品となってもリサイクル可能で環境に優しい。（２）本案は簡単な構造と態様でなされる水の浄化シートと浄化方法なので安価で製造も簡単である。（３）本案は、大気中、地中、水中においても、将来性のある浄化方法と浄化シートである。
【図面の簡単な説明】
【００４４】
【図１】本案の実施例の浄化シートの平面図。
【図２】本案の図１の浄化シートにて収納される水道蛇口開口部の側面図
【図３】図１の浄化シートに収納された図２の水道蛇口開口部の側面図
【図４】図１の浄化シートからなる浄化具の正面図ほほ図。
【符号の説明】
（１）      浄化シート（２）      水道蛇口開口部（３）      網状部（浄化シート材）（４）      ゴム体（５）      浄化具（アルミ蒸着繊維の浄化シート使用により製作）
【図１】
2005334859.tif 000003
【図２】
2005334859.tif 000004
【図３】
2005334859.tif 000005
【図４】
2005334859.tif 000006